(57)【要約】【課題】手芸用に、手縫いで容易に対象物の布地に取り付けられる面ファスナテープを提供する。【解決手段】一対の面ファスナテープ１０，２０である。各面ファスナテープは、全体がテープ状であり、表面側の主要部に複数の結合要素１２，２２を有し、幅方向の左右端部に耳部分１３，２３を有する。各耳部分には縫い針を通すことのできる、直径０．５〜１．５ｍｍの孔１４，２４が前記テープの長手方向に複数個等間隔に設けられている。面ファスナテープ生地は、前記孔が維持できる程度に硬い。【選択図】図４
2017148261.tif 000002
【特許請求の範囲】
【請求項１】
一対の面ファスナテープ（１０，２０；４０；５０，６０）であって、
各面ファスナテープは、
全体がテープ状であり、
表面側の主要部に複数の結合要素（１２，２２；４２，４３；５２，６２）を有し、
幅方向の左右端部に耳部分（１３，２３；４４；５３，６３）を有し、
前記各耳部分に縫い針（３２）を通すことのできる、直径０．５〜１．５ｍｍの孔（１４，２４；４５；５４，６４）が前記テープの長手方向に複数個等間隔に設けられており、
前記孔の形状を維持できる程度に硬い生地（１１，２１；４１；５１，６１）を有している
ことを特徴とする面ファスナテープ。
【請求項２】
前記面ファスナテープの複数の結合要素が、次の(a)〜(c)のいずれかである請求項１記載の面ファスナテープ。
(a)  雄型結合要素である複数のフック（２２）と、雌型結合要素である複数のループ（１２）からなるもの。
(b)  雄型結合要素である複数の円柱状突起（４２）と、前記円柱状突起に囲まれた、雌型結合要素である複数の窪み（４３）からなるもの。
(c)  雄型結合要素である複数の突起（５２）と、雌型結合要素である複数の皿型窪み（６２）からなるもの。
【請求項３】
前記面ファスナの曲げ強さの和が３５〜５５ｇｆ・ｃｍ／２．５ｃｍ（カトーテック株式会社の順曲げ試験機ＫＥＳ−Ｆ２）である、請求項１又は２記載の面ファスナテープ。
【請求項４】
面ファスナテープ（１０，２０；４０；５０，６０）を対象物の布地に取り付ける取付方法であって、
前記面ファスナテープ（１０，２０；４０；５０，６０）が一対の面ファスナテープであって、各面ファスナテープは、全体がテープ状であり、表面側の主要部に複数の結合要素（１２，２２；４２，４３；５２，６２）を有し、幅方向の左右端部に耳部分（１３，２３；４４；５３，６３）を有し、前記各耳部分に縫い針を通すことのできる、直径０．５〜１．５ｍｍの孔（１４，２４；４５；５４，６４）が前記テープの長手方向に複数個等間隔に設けられており、前記孔が維持できる程度に硬い生地を有しているものにおいて、
前記取付方法は、
前記面ファスナテープを取付対象物の布地（３０，３１）に置き、前記孔の列の上からマーカー（３４）の先端を押し当てる工程と、
前記孔（１４，２４；４５；５４，６４）の隙間から前記マーカー（３４）のインクを前記布地（３０，３１）に付着させ、点（３５）の行列を得る工程と、
前記点（３５）の行列に沿って運針する工程を有する
ことを特徴とする面ファスナテープを対象物の布地に取り付ける取付方法。
【発明の詳細な説明】
【技術分野】
【０００１】
本発明は、手芸用に、主として手縫いで取り付けられる面ファスナテープ及びその取付方法に関する。ここで「面ファスナテープ」とは、雌雄結合要素を有し、全体がテープ状のファスナをいう。「マジックテープ」（登録商標）として周知の面ファスナテープ（例えば後記実施例１参照）が典型的であるが、そのほか、複数のホックを有するファスナテープ（例えば後記実施例２及び３参照）も含む。
【背景技術】
【０００２】
面ファスナテープは、工業製品だけでなく、手芸用にもよく使用される。
【０００３】
工業製品の場合、通常は生産工場において、最も効率的な手順で製品が組み立てられていく。したがって、面ファスナテープなどの縫製が必要な部品は、比較的に早い、部品の段階において専用のミシンで取り付けられているので問題はない。
【０００４】
しかし、手芸品の場合、面ファスナテープは、完成品に近い段階で、バランスや配色を考え、手縫いにより取り付けられることも多い。その際、問題となるのは、面ファスナ生地がかなり硬いことである。面ファスナは、表面にループやフックなどの雌雄部材を設ける必要があるために柔らかな素材を使用することができないのである。しかし、そのために、指の力で何度も硬い生地の耳部分に縫い針を突き刺したり、貫いたりするのが、力のない女性、高齢者、手の不自由な人たちにとってつらい作業となっている。
【０００５】
この問題に関しては、指に指貫（ゆびぬき）をはめて、それで針の背を押すのが一般的である。我々の知る限り、面ファスナテープの側からこの問題に正面から向き合った従来技術はないように思われる。
【０００６】
下記先行文献は、予め複数の小孔を設けておき、その穴を利用して紐で模様を形成する技術に関するものである。予め小孔を設けておき、その穴を利用する点で後記する本願発明と少し類似性があるので引用したが、目的も構成も異なるものである。
【先行技術文献】
【特許文献】
【０００７】
【特許文献１】特開平９-１５８０１８
【発明の概要】
【発明が解決しようとする課題】
【０００８】
本発明は、手芸用に、手縫いで容易に対象物（衣服やカバン等）の布地に取り付けられる面ファスナテープを提供することを目的とする。本発明はまた、そのようなテープを対象物に取り付ける取付方法を提供する。
【課題を解決するための手段】
【０００９】
本発明は、一対の面ファスナテープであって、各面ファスナテープは、全体がテープ状であり、表面側の主要部に複数の結合要素を有し、幅方向の左右端部に耳部分を有し、前記各耳部分に縫い針を通すことのできる、直径０．５〜１．５ｍｍの孔が前記テープの長手方向に複数個等間隔に設けられており、前記孔の形状を維持できる程度に硬い生地を有していることを特徴とする。
【００１０】
面ファスナテープ生地の硬さの程度に関しては、特開２００４―１７３８１９公報によると、通常の面ファスナの曲げ強さの和は４６ｇｆ・ｃｍ／２．５ｃｍ（カトーテック株式会社の順曲げ試験機ＫＥＳ−Ｆ２）とされているので、その前後の３５〜５５ｇｆ・ｃｍ／２．５ｃｍが一応の基準となる（同公報の図5、図６参照）。
【００１１】
前記面ファスナテープの複数の結合要素は、少なくとも次のようなタイプを含む。
(a) 雄型結合要素である複数のフックと、雌型結合要素である複数のループからなるものであるもの。
(b) 雄型結合要素である複数の円柱状突起と、前記円柱状突起に囲まれた、雌型結合要素である複数の窪みからなるもの。
(c) 雄型結合要素である複数の突起と、雌型結合要素である複数の皿型窪みからなるもの。
【００１２】
本発明は、この面ファスナテープを対象物に取り付ける取付方法も含む。すなわち、一対の面ファスナテープであって、各面ファスナテープは、全体がテープ状であり、表面側の主要部に複数の結合要素を有し、幅方向の左右端部に耳部分を有し、前記各耳部分に縫い針を通すことのできる、直径０．５〜１．５ｍｍの孔が前記テープの長手方向に複数個等間隔に設けられており、前記孔が維持できる程度に硬い生地を有している面ファスナテープを対象物に取り付ける取付方法であって、前記面ファスナテープを取付対象物の布地に置き、前記孔の列の上からマーカーの先端を押し当てる工程と、前記孔の隙間から前記マーカーのインクを前記布地に付着させ、点の行列を得る工程と、前記点の行列に沿って運針する工程を有することを特徴とする。
【発明の効果】
【００１３】
本発明の面ファスナテープを取付対象物の布地に取り付けるときには、予め設けられている小孔に縫い針を通しながら、糸で縫い合わせていくことができる。もともとあけられている孔を利用するのであるから、硬い耳部分を縫い針で突き刺したり、貫いたりする必要がなく、簡単で容易に早く取り付けることができる。そのため、力のない女性、高齢者、手の不自由な人でも楽に作業をすることができる。
【００１４】
また、本発明の取付方法によれば、取付対象物の布地にマーカーインクによる点の行列が現れる。この行列を目印にして縫い針を突き刺したり、貫いたりすることで、糸を整然と直線状に縫い付けることができる。目印があるのであるから、たとえ裁縫に不慣れな人でも、均等なピッチで、曲がることなく上手に縫うことができる。
【図面の簡単な説明】
【００１５】
【図１】本発明実施例１の雌型テープ１０の（ａ）正面図、（ｂ）背面図、（ｃ）側面図、（ｄ）前記（ａ）の矢視断面図である。
【図２】同雄型テープ２０の（ａ）正面図、（ｂ）背面図、（ｃ）側面図、（ｄ）前記（ａ）の矢視断面図である。
【図３】同雌雄テープの断面図であり、（ａ）は接合前、（ｂ）は接合後である。
【図４】同雌型テープ１０の孔１４を使用して糸縫いしている状態の斜視図である。
【図５】同雌型テープ１０の孔１４に対してマーカーで印をつけている状態の斜視図である。
【図６】同雌型テープ１０につけられた印である点３５の行列を示す斜視図である。
【図７】本発明実施例２のテープ４０の（ａ）正面図、（ｂ）背面図、（ｃ）側面図、（ｄ）前記（ａ）の矢視断面図である。
【図８】同雌雄テープの断面図であり、（ａ）は接合前、（ｂ）は接合後である。
【図９】本発明実施例３の雄型テープ５０の（ａ）正面図、（ｂ）背面図、（ｃ）側面図、（ｄ）前記（ａ）の矢視断面図である。
【図１０】本発明実施例３の雌型テープ６０の（ａ）正面図、（ｂ）背面図、（ｃ）側面図、（ｄ）前記（ａ）の矢視断面図である。
【図１１】同雌雄テープの断面図であり、（ａ）は接合前、（ｂ）は接合後である。
【発明を実施するための形態】
【００１６】
以下、添付の図面に基づいて本発明の実施例を説明する。
【実施例１】
【００１７】
図１〜図６は、「マジックテープ」（登録商標）として周知の面ファスナテープへの応用例である。一方の雌型テープ１０（図１）は、生地１１の上に雌型結合要素１２（通常はループ）を有する。他方の雄型テープ２０（図２）は、生地２１の上に雄型結合要素２２（通常はフック）を有する。２本のテープがともに雌雄混合型結合要素を有する場合もある。
【００１８】
この雌雄面ファスナテープ１０，２０は、幅方向の両端部が結合要素を持たない耳部分１３，２３となっており、この耳部分１３，２３において対象物（衣服やカバン等）の布地に縫い付けられる。
【００１９】
この左右耳部分１３，２３には小さな孔１４，２４が多数あけられている。図示の実施例では、面ファスナテープ１，２の幅は２５ｍｍ、耳部分１３，２３の幅は左右各２ｍｍであり、孔１４，２４は直径が約１ｍｍ、孔同士の間隔は約４ｍｍである。耳部の幅はもともと狭いので、孔１４，２４の直径はあまり変更する余地はないが、孔同士の間隔は目的や素材に応じて自由に変更することができる。孔１４，２４をあけるのにはニードルパンチや超音波カッターを使用することができる。
【００２０】
この面ファスナテープ１０，２０を対象物の布地３０，３１に取り付けるには、図４に示すように、これらの孔１４，２４に縫い針３２を通しながら、糸３３で縫い合わせていくことができる。もともとあけられている孔を利用するのであるから、硬い耳部分１３，２３を針３２で突き刺したり、貫いたりする必要がなく、簡単で容易に早く取り付けることができる。力のない女性、高齢者、手の不自由な人たちでも楽に作業をすることができる。
【００２１】
縫い付け作業をさらに容易にするため、縫い付け対象物の布地３０の側にも縫い針を通す目印をつけることが好ましい。そのような目印を作るため、図５（雌側ファスナテープ１０を例にとる）に示すように、面ファスナテープ１０を布地３０に置き、孔１４の列の上から蛍光マーカー３４の先端を押し当てる。マーカー３４のインクは孔１４の隙間を通り、布地３０に付着するので、点３５の行列が現れる。この行列に沿って点３５に針３２を突き刺したり、貫いたりすることで、糸を整然と直線状に縫い付けることができる。目印のある位置に針を刺すのであるから、たとえ裁縫に不慣れな人でも、均等なピッチで、曲がることなく上手に縫うことができる。
【００２２】
目印としての点３５の行列は、必ずしも図６のように対象物の布地全体について設ける必要はなく、縫い始めの５針程度だけでも十分である。点３５は通常布地の表だけにつき、裏まで染み出ることはないが、縫い始めの５針程度だけ点３５を目印にして縫うと後は方向性もほとんど決まるため、布地と面ファスナテープの位置や角度をあまり気にすることがなくなる。布地の裏から表に向かって針を刺すときには、針先が孔１４から出るように気を付けながら縫い進めることができる。
【００２３】
点３５の行列は外部から隠れてしまうので放置しても構わないが、気になるようであれば、「消えるマーカー」として知られる種類の市販品を使用することで消去することができる。消えるマーカーは、こすったり、重ね塗りをしたりすることによりインクの色が消えるもので、現在、（株）呉竹、（株）パイロットコーポレーション、三菱鉛筆（株）などのメーカーにより提供されている。
【実施例２】
【００２４】
図７、図８は、複数のホックを有する面ファスナテープに対する応用例１である。この面ファスナテープ４０において、ホックは、比較的硬い面ファスナ生地４１又は合成樹脂シートの表面側に複数の合成樹脂製の円柱状突起４２を設けてなるものである。図示のものは雌雄面ファスナテープが同一形状であり、一方のテープ４０の円柱状突起４２が他方のテープ４０の円柱状突起４２に囲まれた窪み４３と係合する。
【００２５】
実施例１と同様に、面ファスナテープ４０の耳部分４４には小さな孔４５が多数あけられている。これらの孔４５の構造及び使用法は実施例１と同様である。
【実施例３】
【００２６】
図９〜１１は、複数のホックを有する面ファスナテープに対する応用例２である。雌雄面ファスナテープ５０、６０からなる。一方の雄型テープ５０は比較的硬い面ファスナ生地５１又は合成樹脂シートの表面側に複数の突起５２を等間隔で有する。他方の雌型テープ６０は比較的硬い面ファスナ生地６１又は合成樹脂シートの表面側に複数の皿状窪み６２を等間隔で有する。各突起５２は、各窪み６２とスナップ係合する。
【００２７】
実施例１と同様に、面ファスナテープ５０，６０の耳部分５３，６３には小さな孔５４，６４が多数あけられている。これらの孔の構造及び使用法は実施例１と同様である。
【符号の説明】
【００２８】
１０   雌側ファスナテープ
１１   生地
１２   雌型結合要素
１３   耳部分
１４   孔
２０   テープ
２１   生地
２２   雄型結合要素
２３   耳部分
２４   孔
３０   布地
３０，３１    布地
３２   針
３３   糸
３４   蛍光マーカー
３５   点
４０   面ファスナテープ
４１   面ファスナ生地
４２   円柱状突起
４３  窪み
４４   耳部分
４５   孔
５０   面ファスナテープ
５１   面ファスナ生地
５２   突起
５３   耳部分
５４   孔
６０   面ファスナテープ
６１   面ファスナ生地
６２  皿状窪み
６３   耳部分
６４   孔
【図１】
2017148261.tif 000003
【図２】
2017148261.tif 000004
【図３】
2017148261.tif 000005
【図４】
2017148261.tif 000006
【図５】
2017148261.tif 000007
【図６】
2017148261.tif 000008
【図７】
2017148261.tif 000009
【図８】
2017148261.tif 000010
【図９】
2017148261.tif 000011
【図１０】
2017148261.tif 000012
【図１１】
2017148261.tif 000013